(57)【要約】【課題】入浴用機器を提供する。【解決手段】台車４と、台車４に設けられた担架昇降機構６とを備え、担架昇降機構６は、台車４に立設された支柱６ａと、上部に担架５が一体に設けられて前記支柱６ａに沿って上下動可能とされた支柱ガイド６ｂとを備え、支柱６ａの上部側に支柱ガイド６ｂに摺接する第１摺接部材４０を設け、また、支柱ガイド６ｂの下部側に支柱６ａに摺接する第２摺接部材８０を設けた。【選択図】図４
2015016196.tif 000002
【特許請求の範囲】
【請求項１】
台車と、前記台車に設けられた担架昇降機構とを備えた入浴用機器において、
前記担架昇降機構は、前記台車に立設された支柱と、上部に担架が一体に設けられて前記支柱に沿って上下動可能とされた支柱ガイドとを備え、
前記支柱の上部側に前記支柱ガイドに摺接する第１摺接部材を設け、前記支柱ガイドの下部側に前記支柱に摺接する第２摺接部材を設けた、
ことを特徴とする入浴用機器。
【請求項２】
少なくとも前記第１摺接部材と前記第２摺接部材のいずれかが摺接相手側との隙間を調整可能になっている、
請求項１に記載の入浴用機器。
【請求項３】
前記支柱ガイドは前記支柱に外挿される筒構造になっており、
前記支柱ガイドの一面が開放され、該開放された一面側に取り外し可能に蓋が設けられ、前記蓋の内側に前記第２摺接部材が設けられている、
請求項１または２に記載の入浴用機器。
【請求項４】
前記支柱ガイドが前記支柱の上部側に上昇すると、前記両摺接部材は、前記支柱ガイドの上昇を規制するストッパとなる、
請求項１ないし３のいずれか一項に記載の入浴用機器。
【発明の詳細な説明】
【技術分野】
【０００１】
本発明は、被介助者を載せた担架を昇降する担架昇降機構を備えた入浴用機器に関するものである。
【背景技術】
【０００２】
歩行困難な寝たきりの高齢者や身体不自由などの被介助者を入浴させるため、担架に被介助者を載せると共に、担架昇降機構により、浴槽上方で担架を昇降させて被介助者を入浴させる介護用の入浴装置が知られる。
【０００３】
かかる入浴装置における担架昇降機構には、台車に支柱を設け、この支柱に支柱ガイドを嵌め合わせ、モータ等の動力で支柱ガイドを支柱に沿って上下させ、これにより担架を昇降させるようにしたものがある(特許文献１参照)。
【０００４】
また、支柱と、昇降枠(支柱ガイド)との間に、樹脂製の振動案内を設け、支柱と昇降枠との間の隙間を無くし、振動案内により昇降枠ががたつかずに昇降できるようにしたものがある(特許文献２参照)。
【先行技術文献】
【特許文献】
【０００５】
【特許文献１】実開平０７−０３７１７５号公報
【特許文献２】特公昭６２−３０７７１号公報
【発明の概要】
【発明が解決しようとする課題】
【０００６】
しかし、特許文献１の入浴装置では、支柱と支柱ガイドとの間の隙間が大きすぎると、支柱ガイドに支持された担架ががたつき、被介助者に不安を与えるおそれがある。逆に前記隙間を無くすと、支柱ガイドが支柱に沿って上下する際の抵抗となるので、前記隙間の調整が難しく、支柱と支柱ガイドとの製作精度を高める必要が生じる問題がある。
【０００７】
また、特許文献２の入浴装置では、支柱と昇降枠との間に、樹脂製の振動案内が設けられているので、昇降枠に支持された担架のがたつきが防止されるが、振動案内が昇降枠の下端に設けられているので、上方側に隙間が生じ、前記下端側を充分に受けていたとしても、体重が重い被介助者を担架に載せていると、振動案内を支点にして昇降枠の上部が撓んで歪みが生じる可能性がある。
【０００８】
本発明は、上述の問題点に鑑みてなされたものであり、体重が重い被介助者を担架に載せても、がたつきや、撓み等が生じず、担架を昇降できる入浴用機器を提供することを目的としている。
【課題を解決するための手段】
【０００９】
請求項１に記載の発明は、台車と、前記台車に設けられた担架昇降機構とを備えた入浴用機器において、前記担架昇降機構は、前記台車に立設された支柱と、上部に担架が一体に設けられて前記支柱に沿って上下動可能とされた支柱ガイドとを備え、前記支柱の上部側に前記支柱ガイドに摺接する第１摺接部材を設け、また、前記支柱ガイドの下部側に前記支柱に摺接する第２摺接部材を設けた、ことを特徴とする。
【００１０】
この発明によれば、前記支柱の上部側に前記支柱ガイドに摺接する第１摺接部材を設け、また、前記支柱ガイドの下部側に前記支柱に摺接する第２摺接部材を設けたので、体重が重い被介助者を担架に載せても、前記支柱ガイドの回転支点が上方に位置するため、支柱ガイドの撓みが小さくなり、がたつきが生じずに、担架を昇降でき、被介助者が安心して入浴させることができる。
【００１１】
請求項２に記載の発明は、請求項１に記載の発明において、前記両摺接部材を摺接相手側との隙間を調整可能とした。この場合、第１摺接部材の摺接相手側は支柱ガイドであり、第２摺接部材の摺接相手側は支柱となる。
【００１２】
この発明によれば、支柱と支柱ガイドとの製作寸法の誤差により摺接相手側との間に隙間があるような場合、前記隙間を最適な隙間に調整してがたつきや撓み等を無くすことができ、これにより、被介助者に不安を与えずに入浴させることができる。
【００１３】
請求項３に記載の発明は、請求項１または２に記載の発明において、前記支柱に前記支柱ガイドが外挿され、前記支柱ガイドの一面が開放され、該開放された一面側に取り外し可能に蓋が設けられ、前記蓋の内側に前記第２摺接部材が設けられている。
【００１４】
支柱に支柱ガイドを組み付ける場合、支柱と支柱ガイドとの隙間が小さいと、この組み付けの作業が難しいので、前記隙間を或る程度大きくする必要がある。この発明によれば、支柱に支柱ガイドが外挿され、支柱ガイドの一面が開放され、該開放された一面側に取り外し可能に蓋が設けられ、かつ、前記蓋に前記第２摺接部材が設けられているので、支柱に対する支柱ガイドの組み付けが容易となるうえ、第２摺接部材の取り付けも容易となる。
【００１５】
請求項４に記載の発明は、前記支柱ガイドが前記支柱の上部側に上昇すると、前記両摺接部材は、前記支柱ガイドの上昇を規制するストッパとなる。
【００１６】
この発明によれば、前記支柱ガイドを前記支柱の上部側にまで上昇させると、前記両摺接部材が近接して該支柱ガイドに対しての上昇規制のストッパとなるので、別途に上昇規制のストッパを設ける必要がなくなり、部材コストを低減できる。
【発明の効果】
【００１７】
本発明によれば、体重が重い被介助者を担架に載せても、がたつきが生じずに、担架を昇降できる入浴用機器を提供することができる。
【図面の簡単な説明】
【００１８】
【図１】本発明の実施形態に係る搬送機器と浴槽との斜視図であり、搬送機器が浴槽に横付けされた状態を示す。
【図２】本発明の実施形態に係る搬送機器と浴槽との斜視図であり、搬送機器の担架が浴槽上方に位置する状態を示す。
【図３】本発明の実施形態に係る搬送機器と浴槽との斜視図であり、搬送機器の担架が浴槽内に下降した状態を示す。
【図４】台車と担架昇降機構との正面からの断面図であり、担架昇降機構の支柱ガイドが上昇した位置にある状態を示す。
【図５】台車と担架昇降機構との正面からの断面図であり、担架昇降機構の支柱ガイドが下降した位置にある状態を示す。
【図６】図４のＡ−Ａ線断面図である。
【図７】図４のＢ−Ｂ線断面図である。
【発明を実施するための形態】
【００１９】
以下、添付した図面を参照して、本発明の実施形態に係る搬送機器を説明する。
【００２０】
図１を参照して、入浴装置１は、浴槽２と、搬送機器３とから構成される。搬送機器３は、台車４と、担架５と、担架昇降機構６と、を有する。台車４に、担架昇降機構６が立設されている。台車４は、前後左右に矩形状に枠組された４つのフレーム７〜１０を備えると共に、フレーム７〜９の下面に車輪１１〜１４が設けられている。
【００２１】
担架昇降機構６は、筒型の支柱６ａと、支柱６ａに外挿された筒型の支柱ガイド６ｂとを有する。支柱ガイド６ｂは、支柱６ａの外周に沿って昇降することができる。支柱ガイド６ｂの上端側に取付用部材１５が設けられている。
【００２２】
取付用部材１５には、手摺１６が延設されている。また、取付用部材１５には操作桿１７が設けられている。搬送機器３は、操作桿１７の操作により、台車４を任意の方向に移動させて、支持フレーム１８に支持された担架５を搬送することができる。
【００２３】
支持フレーム１８は、取付用部材１５に係合され、これにより、担架５は担架昇降機構６に支持される。担架５は、担架昇降機構６により、昇降する。
【００２４】
担架５は、長手方向に延びる載置部１９と、載置部１９の両側部それぞれに設けられた第１〜第４サイドガード２０〜２３とを具備する。載置部１９は、長手方向両側が起立倒伏（リクライニング）できるようになっている。
【００２５】
搬送機器３は、当該搬送機器３を旋回操作させる際に下方向に操作される第１操作ペダル２４と、第１操作ペダル２４が下方向に操作されると、搬送機器３の接地面(例えば浴室内の床面)に向けて突出して接地する脚部２５と、当該搬送機器３にブレーキをかける際に下方向に操作される第２操作ペダル２６と、第２操作ペダル２６が下方向に操作されると、搬送機器３の接地面(浴室内の底面)に向けて突出して接地する２つの脚部２７，２８とを備える。
【００２６】
第２操作ペダル２６が下方向に操作されると、第２操作ペダル２６により第１操作ペダル２４も下方向に操作されて、脚部２５が接地し、搬送機器３は、脚部２５と２つの脚部２７，２８との３点でブレーキがかけられる。
【００２７】
台車４のフレーム８，９それぞれの先端に、扁平円盤状のフロントガイドローラー２７，２８が回転自在に設けられている。フレーム８，９の外側面に、フロントガイドローラー２７，２８より後方にリアガイドローラー２９，３０が設けられている。
【００２８】
浴槽２の下部と接地面との間には、搬送機器３の台車４が浴槽２の側部３１から挿入可能な空間３２が存在する。担架昇降機構６には遠隔制御器３３が取り外し可能に設置されている。この遠隔制御器３３は、詳細な説明は略するが、担架昇降機構６における支柱ガイド６ｂを上下させる際に操作される昇降操作部を有する。
【００２９】
担架昇降機構６において、図１及び図２の状態では、支柱ガイド６ｂは支柱６ａの上部側に上昇しており、図３の状態では、支柱ガイド６ｂは支柱６ａの下部側に下降している。支柱６ａと支柱ガイド６ｂそれぞれの対応する同じ一面は、開放しており、該各一面に蓋３４，３５が取り外し可能に設けられている。搬送機器３は、図１の状態で浴槽２の側部３１に横付けされ、担架５は担架昇降機構６により上昇位置にある。搬送機器３は、図２の状態で台車４が浴槽２の側部３１からその下部空間３２に入り込み、担架５は浴槽２の上方位置にある。担架５は、図３の状態で遠隔制御器３３の操作で担架昇降機構６により浴槽２内に下降している。
【００３０】
図４及び図５を参照して、担架昇降機構６の内部において、支柱６ａの下部側内部には、支柱ガイド６ｂを上昇させるアクチュエータとしてモータ３６が配置されている。モータ３６の回転力を直線運動に変換してシリンダ３８を伸縮させるようになっている。これによりシリンダ３８と連結された支柱ガイド６ｂは支柱６ａに沿って昇降することができる。この場合、モータ３６の駆動による支柱ガイド６ｂの昇降は遠隔制御器３３の操作により行われる。図４では支柱ガイド６ｂが支柱６ａに沿って上昇した位置にあり、図５では支柱ガイド６ｂが支柱６ａに沿って下降した位置にある。
【００３１】
この担架昇降機構６では、重量が重いモータ３６が下部に設けられているので、支柱６ａにはモータ３６の荷重が加わらない。従って、支柱ガイド６ｂ側にモータを設けた担架昇降機構と比較して、搬送機器３の重心が下方にあることで、当該搬送機器３が安定する。
【００３２】
図４及び図５に示すように、支柱６ａの上部側に摺接相手側である支柱ガイド６ｂに摺接する第１摺接部材４０が設けられ、また、支柱ガイド６ｂの下部側に摺接相手側である支柱６ａに摺接する第２摺接部材８０が設けられている。
【００３３】
図６及び図７を参照して、第１摺接部材４０及び第２摺接部材８０を説明する。図６は、支柱６ａの上部側における断面図であり、図７は支柱ガイド６ｂの下部側における断面図である。
【００３４】
図６に示すように、支柱６ａは蓋３５を含めて断面矩形の筒形状である。支柱６ａは第１〜第４外周面４１〜４４を有しており断面矩形形状になっている。図６では第１摺接部材４０は、４つの第１摺接部材４０ａ〜４０ｄにより構成される。支柱６ａの上部側において、第１〜第４外周面４１〜４４のうち第１外周面４１と第２外周面４２に、第１摺接部材４０ａ，４０ｂがボルト５０ａ，５０ｂにより固定されている。また、蓋３５の外周面３５ａに第１摺接部材４０ｃがボルト５０ｃにより固定されている。第４外周面４４にはボルト５０ｄが装着され、このボルト５０ｄ先端に第１摺接部材４０ｄが当接している。支柱６ａの第３外周面４３側は開口を有する。蓋３５は、支柱６ａの第３外周面４３側に前記開口を蓋するようにボルト５０ｅにより取り外し可能に取り付けられている。第１摺接部材４０ａ〜４０ｄは、樹脂等により構成されている。第１摺接部材４０ａ〜４０ｄは総称するときは第１摺接部材４０と称する。
【００３５】
前記ボルト５０ｄの先端側は、支柱ガイド６ｂの第４外周面４４から外部に突出し、その先端に摺接部材４０ｄが当接している。ボルト５０ｄの基端側は、支柱６ａに設けたネジ穴を通り、支柱６ａの中へ突出しており、支柱６ａ内側から締結を調節操作できる。つまり、ボルト５０ｄの支柱６ａ外部への突出量を調節し、固定ナット５０ｄ１でボルト５０ｄの位置を固定することにより、第２摺接部材４０ｄを摺接相手側である支柱ガイド６ｂの内周面にどの程度で摺接させるかを調節したうえで固定できるようになっている。これにより、支柱６ａの第２外周面４２と第４外周面４４とに対向して設けられた一対の摺接部材４０ｂと摺接部材４０ｄとで、摺接相手側である支柱ガイド６ｂの内周面との間に隙間が無いように調節する一方で、その調節の程度により、支柱ガイド６ｂが支柱６ａに対して抵抗少なく昇降できるようにしている。
【００３６】
図７に示すように、支柱ガイド６ｂは蓋３４を含めて断面矩形の筒形状である。図７では第２摺接部材８０は、４つの第１〜第４摺接部材８０ａ〜８０ｄから構成される。支柱ガイド６ｂの内部に支柱６ａが挿入される。支柱ガイド６ｂは内周面が第１〜第４内周面７１〜７４により断面矩形形状になっている。支柱ガイド６ｂの下部側において、各内周面７１〜７４の内の第１内周面７１と、第２内周面７２に、第２摺接部材８０ａ，８０ｂがボルト９０ａ，９０ｂにより固定されている。蓋３４の内周面３４ａに第２摺接部材８０ｃがボルト９０ｃにより固定されている。支柱ガイド６ｂの第４内周面７４側には、ボルト９０ｄにより第２摺接部材８０ｄが当接している。支柱ガイド６ｂは第３内周面７３側に開口を有する。蓋３４は、支柱ガイド６ｂの第３内周面７３の前記開口を蓋するようにボルト９０ｅにより取り外し可能に固定されている。第２摺接部材８０ａ〜８０ｄは、樹脂等により構成されている。第２摺接部材８０ａ〜８０ｄは総称するときは第２摺接部材８０と称する。
【００３７】
前記ボルト９０ｄの先端側は、支柱ガイド６ｂの第４内周面７４から内部に突出し、その先端に摺接部材８０ｄが当接している。ボルト９０ｄの基端側は、支柱ガイド６ｂに設けたネジ穴を通り、支柱ガイド６ｂの外へ突出しており、支柱ガイド６ｂ外側から締結を調節操作できる。つまり、ボルト９０ｄの支柱ガイド６ｂ内部への突出量を調節し、固定ナット９０ｄ１でボルト９０ｄの位置を締結固定することにより、第２摺接部材８０ｄを摺接相手側である支柱６ａの外周面にどの程度で摺接させるかを調節したうえで固定できるようになっている。これにより、支柱ガイド６ｂの第２、第４内周面７２，７４に対向して設けられた一対の第２摺接部材８０ｂ，８０ｄで、摺接相手側である支柱６ａの外周面との間に隙間が無いように調節する一方で、その調節の程度により、支柱ガイド６ｂが支柱６ａに対して抵抗少なく昇降できるようにしている。
【００３８】
前記蓋３４は支柱ガイド６ｂの一面にボルト９０ｅで固定される。ボルト９０ｅの一端は支柱ガイド６ｂに固着されている。ボルト９０ｅの他端側は、蓋３４ａを通って外部に突出しており、支柱ガイド６ｂの外側から調節操作できるようナット９０ｅ１と固定ナット９０ｅ２が設けられている。すなわち、ナット９０ｅ１で蓋３４の位置を調節し、固定ナット９０ｅ２で蓋３４の位置を締結固定することにより、第１摺動部材４０ｃ及び第２摺動部材８０ｃが蓋３４及び蓋３５にどの程度で摺接させるかを調節したうえで固定できるようになっている。これにより、その調節の程度により、支柱ガイド６ｂが支柱６ａに対して抵抗少なく昇降できるようにしている。
【００３９】
これら支柱６ａに設けた第１摺接部材４０と、支柱ガイド６ｂに設けた第２周囲部材８０とにおいて、支柱ガイド６ｂが支柱６ａの上部側にまで上昇すると、前記両摺接部材４０，８０同士が接触して支柱ガイド６ｂの上昇を規制するストッパとなる。
【００４０】
以上説明した搬送機器３によれば、支柱６ａ上部側に支柱ガイド６ｂに摺接する第１摺接部材４０を設け、また、支柱ガイド６ｂの下部側に支柱６ａに摺接する第２摺接部材８０を設けたので、体重が重い被介助者を担架５に載せても、支柱ガイド６ｂの回転支点が上方に位置するため、支柱ガイド６ｂの撓みが小さくなり、がたつきが生じずに、担架５を昇降でき、被介助者が安心して入浴させることができる。
【００４１】
本発明は上述の実施形態に限定されるものではなく、その趣旨を逸脱しない範囲内で種々適宜に変更可能である。また、支柱６ａ及び支柱ガイド６ｂの断面形状は四角形以外の多角形や円形、楕円形、Ｄ形状であっても同様に実施できるのはいうまでもない。
【符号の説明】
【００４２】
１  入浴装置
２  浴槽
３  搬送機器
４  台車
５  担架
６  担架昇降機構
６ａ  支柱
６ｂ  支柱ガイド
３１  浴槽下部空間
４０  第１摺接部材
８０  第２摺接部材
３４，３５  蓋
【図１】
2015016196.tif 000003
【図２】
2015016196.tif 000004
【図３】
2015016196.tif 000005
【図４】
2015016196.tif 000006
【図５】
2015016196.tif 000007
【図６】
2015016196.tif 000008
【図７】
2015016196.tif 000009